Podtech/llm-jp-corpus-v4-ja_patent huggingface dataset:
(57)【要約】【課題】  本発明は汎用の粘着ロールテープの粘着面を使用して清掃をするための粘着ロールテープ用清掃補助具を提供する。【解決手段】  軸状柄部（１）の先に粘着ロールテープの紙製の芯を保持できる棒状の保持軸（２）を設け、保持軸（２）の前方部に粘着ロールテープの紙製の芯の直径より短い間隔を開けて先端保持部（３）と後方保持部（４）を設け、保持軸（２）の先端部に前方に突出した保持軸突起部（５）を設け、先端保持部（３）の末端には前方に突出した先端突起部（６）を設け、後方保持部（４）の末端には、後方に突出した後方突起部（７）を設けたことを特徴とした粘着ロールテープ用清掃補助具。【選択図】図１
2012223538.tif 000002
【特許請求の範囲】
【請求項１】
軸状柄部（１）の先に粘着ロールテープの紙製の芯を保持できる棒状の保持軸（２）を設け、保持軸（２）の前方部に粘着ロールテープの紙製の芯の直径より短い間隔を開けて先端保持部（３）と後方保持部（４）を設け、保持軸（２）の先端部に前方に突出した保持軸突起部（５）を設け、先端保持部（３）の末端には前方に突出した先端突起部（６）を設け、後方保持部（４）の末端には後方に突出した後方突起部（７）を設けたことを特徴とした粘着ロールテープ用清掃補助具。
【発明の詳細な説明】
【技術分野】
【０００１】  本発明は、汎用の粘着ロールテープの粘着面を使用して清掃をするための粘着ロールテープ用清掃補助具に関するものである。
【背景技術】
【０００２】  従来、専用の粘着テープを用いて清掃する道具はあった（特許文献１参照）。
また、使用した粘着面を巻き取り可能な形に改良した粘着テープクリーナーはあった（特許文献２参照）。
【先行技術文献】
【０００３】
【特許文献１】  特開平０９−２０６２７３号公報
【特許文献２】  特開２０１０−０６３８６２号公報
【発明の概要】
【発明が解決しようとする課題】
【０００４】  それには、次のような問題点があった
（イ）表面が粘着テープとなっていて使用する際に紙を剥離するのに手間がかかっていた。
（ロ）表面が粘着テープなので紙を剥離したあとは、専用容器に収納しなければならなかった。
（ハ）幅が広いため直線的にしか動かすことができず細かい部分の清掃が困難であった。
本発明は、以上のような問題点を解決するためのものである。
【課題を解決するための手段】
【０００５】  軸状柄部（１）の先に粘着ロールテープの紙製の芯を保持できる棒状の保持軸（２）を設け、保持軸（２）の前方部に粘着ロールテープの紙製の芯の直径より短い間隔を開けて先端保持部（３）と後方保持部（４）を設け、保持軸（２）の先端部に前方に突出した保持軸突起部（５）を設け、先端保持部（３）の末端には前方に突出した先端突起部（６）を設け、後方保持部（４）の末端には後方に突出した後方突起部（７）を設けたことを特徴とした粘着ロールテープ用清掃補助具。
本発明は、以上のように構成されたテープ用清掃補助具である。
【発明の効果】
【０００６】  簡単な構造であるため、取り扱いが容易である。
一般的な汎用の粘着ロールテープを用いることができるので、費用対効果が高い。
幅の狭いテープを用いるため、直線性のみならず可動域が広まり、小回りが利くため細い場所まで清掃できる。
洋服から作業テーブル、食卓、フローリング、絨毯、たたみなど用途に応じた場所で使い分けることができ、吸引式掃除機で取り除くことができない絡み付いたごみ、糸くず、ペットの毛などを容易に取り除くことができる。
清掃後には使用した粘着部を切断し、破棄するだけで良いので簡単であり、衛生的である。
専用の粘着テープのように保管時粘着面が表面になることはないので、専用の保管容器を必要としない。
【図面の簡単な説明】
【０００７】
【図１】  本発明の正面図である。
【図２】  本発明の左側面図である。
【図３】  本発明の右側面図である。
【図４】  本発明の平面図である。
【図５】  本発明の底面図である。
【図６】  本発明の実施例を示した斜視図である。
【発明を実施するための形態】
【０００８】  以下、本発明の実施の形態について説明する。
（イ）軸状柄部（１）の先に粘着ロールテープの紙製の芯を保持できる棒状の保持軸（２）を設ける。
（ロ）保持軸（２）の先端部に粘着ロールテープの紙製の芯の直径より短い間隔を開けて、先端保持部（３）と後方保持部（４）を設ける。
（ハ）先端保持部（３）は保持軸（２）の先端部分に保持軸突起部（５）ができるように設け、先端保持部（３）の末端には先端突起部（６）を設ける。
（二）保持軸突起部（５）と先端突起部（６）の間隔は粘着ロールテープの幅よりやや広くして、前方に突出させる。
（ホ）後方保持部（４）は先端保持部（３）より後方の位置に設け、末端には後方に突出した後方突起部（７）を設ける。
（ヘ）保持軸（２）は軸状柄部（１）の中心線と先端保持部（３）、および、後方保持部（４）の中心点が同じになるように保持軸を湾曲させる。
本発明は以上のような構成である。
本発明を使用するときは、粘着ロールテープ（８）を剥がし、粘着ロールテープの円周上を一回転以上する長さまで引き出し、粘着面を表になるように裏返しにして、逆方向に巻き付け、最終引き出し部の粘着面で剥がれないように固定し、被清掃面上に置く。
つぎに、先端保持部（３）と後方保持部（４）を粘着ロールテープの紙製の芯（９）に挿入し、保持軸突起部（５）、および、先端突起部（６）、ならびに、後方突起部（７）で粘着ロールテープが外れないように半固定した状態で被清掃面に軽く圧力がかかるように押しあてる。
そして、被清掃面に軽く圧力がかかるような状態を保持しながら、粘着ロールテープの紙製の芯を半固定した本発明を前後や斜めに動かし粘着ロールテープを裏返した粘着面で被清掃面のごみ等を粘着させ清掃する。
また、清掃が終了、または、粘着力が弱くなったら、使用した部分を切断、破棄し、再度繰り返し実施する。
清掃後は使用した粘着面部分を切断し破棄すれば通常の保存状態に戻るので専用の保存容器は必要としない。
【符号の説明】
【０００９】    １  軸状柄部
２  保持軸
３  先端保持部
４  後方保持部
５  保持軸突起部
６  先端突起部
７  後方突起部
８  粘着ロールテープ
９  紙製の芯
【図１】
2012223538.tif 000003
【図２】
2012223538.tif 000004
【図３】
2012223538.tif 000005
【図４】
2012223538.tif 000006
【図５】
2012223538.tif 000007
【図６】
2012223538.tif 000008
(57)【要約】【課題】  従来市販されているオムツ及びパンツには、小便の吸水処理用はあっても大便処理用のものは、ほとんどなかった。【解決手段】  本発明は上記のオムツを材料としつつも小便も大便も共に処理しようとする使い捨てのオムツである。小便の方は元々、オムツの材料が吸水性高分子なので吸水処理できる。  使い方は穴を肛門の中央にあたるようにして二つ折りにして身体の前側と背中側にあてパンツ等を上から穿き固定する。それでもなお肛門がオシメの穴からずれてしまうと本発明の目的が達せられないので皮膚がかぶれない両面テープ等でオシメを固定して使う。使う本人もお尻のかぶれ等もなくなり介護者の負担も著しく軽減するものである。【選択図】図３
2012223537.tif 000002
【特許請求の範囲】
【請求項１】
既製の吸水性高分子オムツを利用し、お尻から出た大便を上一枚目のオムツの角穴から下のオムツとの空間に落とし隔離してあとでそっくり使い捨てにするオムツである。。
（１）  吸水性高分子使用のオムツを二枚重ねにして、ふたつのへりを合わせ周囲を糊で接着させ袋状にして内側オムツ１の中央に角穴（３）を開け穴の下回りを補強した硬質プラスチックス厚板（１０）を利用してオムツの前側（Ａ側（８））を仮りに上と見たとき半硬質プラスチックス（４と５）を、硬質プラスチック厚板（１０）の裏、両側にそれぞれ熱圧着して中央で先端をＲ字型にして突合せ観音開き状の扉とする。この半硬質プラスチック薄板は上側表面を大便が滑りやすくするためにコーティングする
（２）  上記の硬質プラスチック（１０）の裏面に半硬質プラスチック（４と５）を熱圧着した裏下に同径のプラスチックスプリングを４〜５ｃｍの高さに取り付ける。空間（１５）を確保するためである。
（３）  肛門から出た大便を内側オムツ（１）の角穴（３）から下の外側オムツ（２）と間のプラスチックスプリング（６）で確保した空間（１５）に、半硬質プラスチック薄板（４と５）の観音開き状の扉をくぐらせ落とす。半硬質プラスチック薄板（４と５）の扉をプラスチックの弾力性と反発力を利用して元に戻し扉をしめ大便が戻るのを防ぐと共にお尻りと大便を遮断隔離してあとでそっくり使い捨て、焼却処分するオムツである。
【発明の詳細な説明】
【技術分野】
【０００１】  本発明は老人、大人、子供を問わず身体が不自由な自分で用便が出来ない人、病気で寝たきりの人用の大小便処理用オムツである。
【背景技術】
【０００２】  吸水高分子を使った小便処理用オムツ及びパンツはあったが大便も処理出来るものは、ほとんどなかった。
【先行技術文献】
【特許文献】
【０００３】
【特許文献１】  実用新案登録  第２５６４８４９号
【発明の開示】
【発明が解決しようとする課題】
【０００４】  小便処理用のオムツ及びパンツはあったが大便処理用のオムツ及びパンツは、ほとんどなかった。それを解決しようとするものである。
【課題を解決するための手段】
【０００５】その目的を達成するために、図−１に示す通り吸水性高分子使用のオムツを利用しＬサイズのオムツを二枚重ねにしてふたつの周囲を糊で接着して袋状にする。内側オムツ（１）の中央に真四角（一辺９〜１１ｃｍ）の角穴（３）を開け穴の下回りを一辺９〜１２ｃｍ角の硬質プラスチック厚板（１０）（厚さ２〜３ｍｍ）を周りの巾（１〜１．５ｃｍ）を残し中一辺６〜８ｃｍ角を切り抜いたもの（回型）を糊で接着、補強、固定して角穴（３）が変形するのを防止する。角穴（３）の上回りも吸水性高分子等の柔らかいもので補強する。またその下にプラスチックのスプリング（６）（太さ２〜３ｍｍ直径９〜１１ｃｍ高さ４〜５ｃｍ）を入れ空間（１５）を確保する。オムツの前側（Ａ側（８））を仮に上として見たとき前記の角穴（３）の下周りを補強したプラスチック厚板（１０）の裏に縦に両側枠にだけ半硬質プラスチック薄板（４と５）を熱圧着して中央で先端をＲ字型にして突き合わせ、観音開き状の扉とする。このプラスチック薄板は上側表面を大便が滑りやすくするためコーティングする。そこを大便が通過するとき扉がＶ字型に開き、通り終わったらプラスチックの弾性と反発力で扉が元通りに戻って大便が戻るのを防ぐと共にお尻と大便が遮断隔離される。
【発明の効果】
【０００６】  大便をした時すぐに処理しないと便がお尻等に付着してしまいお尻がただれてしまう。このオムツはほとんどの便がお尻から遮断隔離出来るため、ただれが少なくなる。本人も助かるがまた介護者の大便処理の負担が軽減される。
【図面の簡単な説明】
【０００７】
【図１】  実施例の正面斜視図
【図２】  実施例の縦真ん中半分の縦断面図
【図３】  実施例の横真ん中の横断面図
【発明を実施するための最良の形態】
【０００８】  この大小便処理用オムツの使い方は、肛門を角穴（３）の中央にあたるようにして前側（Ａ側（８））と背中側（Ｂ側（９））を間違えず二つ折りにして当て、下着パンツを上から穿き固定して使う。それでもなお肛門が角穴（３）からずれてしまうと本発明の目的が達せられないので皮膚がかぶれない両面テープ等でオムツを固定して使う。その他この製品は最終的に使い捨て焼却処分するので使用するプラスチックはバイオプラスチックを使う。硬いプラスチックを使うので安全面と使いごこちにも配慮する。また寝たきりの人でも自由に活動出来る人も使用できる。尚、この発明は吸水性高分子パンツにも応用できる。
【符号の説明】
【０００９】  １  内側オムツ（吸水高分子オムツ）（上一枚目）
２  外側オムツ（吸水高分子オムツ）（下一枚目）
３  角穴
４  半硬質  プラスチック薄板  １
５  半硬質  プラスチック薄板  ２
６  プラスチックスプリング
７  両面テープ
８  Ａ側
９  Ｂ側
１０  硬質  プラスチック厚板
１１  吸水シール
１２  防水シール
１３  上部補強材
１４  大便
１５  空間
【図１】
2012223537.tif 000003
【図２】
2012223537.tif 000004
【図３】
2012223537.tif 000005
(57)【要約】【課題】調理油を使った揚物や炒め物の調理の際に出る余分な油を鍋の中で効率的に油切りができる。【解決手段】調理が終わってから火を止め、五徳の上に本発明の油切り調理用具を装置し、その上に鍋を傾斜して置くことにより、調理で出た余分な油は鍋肌の下方向に集まり、効率的に油切りができる。いかなる形状の五徳の内部にも入り込むことが可能である波型の凸部と、その面から伸びる二本の柄が傾斜した鍋を安定して支えることができる。かつ、線形材料で形成されているので、洗いやすく水切れがよいので衛生的である。【選択図】図７
2012223533.tif 000002
【特許請求の範囲】
【請求項１】
少なくとも１組の対辺が波型の凸部を有する四角形の面に垂直方向に伸びる柄を設けたことを特徴とする油切り調理用具。
【請求項２】
耐熱性の線形材料で形成した波型の凸部の数が対辺で異なる四角形の面を有することを特徴とする請求項１に記載の油切り調理用具。
【発明の詳細な説明】
【技術分野】
【０００１】本発明は、主に揚物や炒め物の調理をした際に出た余分な油を、使用した鍋の中で油切りをしながら、かつ調理後の余熱で効率よく食材に熱を通すことができる油切り調理用具に関するものである。
【背景技術】
【０００２】従来、調理をした際にフライパンを含む鍋の中に出る余分な油を切るために、調理済みの食材を金網やキッチンペーパーの上に置いたり、または自らの手で重い鍋などを持って傾けていた。
【発明の開示】
【発明が解決しようとする課題】
【０００３】上記前述は、使用済みの金網を洗う手間と余分な水道水を使う無駄と、使用後のキッチンペーパーはその都度ゴミとして捨てることで、不経済かつ無駄である。【０００４】上記後述においては、片手で重いフライパンや鍋を持ち、もう片方の手で皿に盛り付けるための箸等を持つので、両手はふさがってしまい自由が利かない。
【課題を解決するための手段】
【０００５】本発明の請求項１は、少なくとも１組の対辺が波型の四角形の面に垂直方向に伸びる柄を設けたことを特徴とする油切り調理用具。【０００６】本発明の請求項２は、耐熱性の線形材料で形成した波型の凸部の数が対辺で異なる四角形の面を有することを特徴とする油切り調理用具。
【発明の効果】
【０００７】揚物や炒め物を調理した際に、フライパンを含む鍋の中に出た余分な油を切ることができる油切り調理用具は以下の効果を有する。
１）、調理が終わった時点で、ガスまたは電気等の熱源のスイッチを切り、使用している鍋の底部と五徳の間に本発明を装置し、鍋などを傾斜し安定していることを確認して、手を離す。余分な油は、傾斜していることで鍋肌の下方向の一箇所にたまり、油切りができる。
２）、本発明の素材は、耐熱性で、フライパンや鍋の重量にも耐え、変形しにくいものである。
３）、線形材料で形成されているので、洗いやすく水切れが良いため、衛生的である。
吊り下げて保管することができる。
４）、五徳内に装置する位置によって、フライパンや鍋の傾斜の角度を調整できる。
５）、四角形の対辺の波型の凸部の数が異なるので、いかなる形状の五徳にも装置して、使用することができる。
６）、ＩＨ調理器具の平面の天板でも、鍋が四角形の波型の凸部と二本の柄の三点の接点で傾斜した鍋を安定して支えることができる。
７）、少ない調理油で揚物をするには、９分通り食材を調理してから火を切り、食材を裏返して鍋の底部と五徳の間に本発明を装置し、鍋に傾斜をつけてから、食材を鍋肌の上方向に寄せると、余熱で食材に火が通って、やわらかく美味しく仕上がる。そして、油切りをした余分な油は鍋肌の下方向にたまる。低温でその油は凝固するので、処理が容易い。
８）、傾斜した鍋が安定した状態で油切りをしていることを確認したうえで、その場を離れることができる。
９）、皿に盛り分ける前に、鍋の中で油切りができる。
１０）、持ち手を設けることにより、持ちやすく反転しやすい。しかも、軽量であるため、女性や高齢者でも使い勝手が良い。
１１）、少ない調理油で調理できることと、油切りをしながら余熱で調理を仕上げることができることは省資源になる。
１２）、簡易な形態であることにより製造する労力やコストを低減できる。
【発明を実施するための最良の形態】
【実施例】
【０００８】以下、本発明の実施の形態を図面に基づいて、詳細に説明する。
図６は、油切り調理用具１の波型の凸部が五徳５の中に入り込んで装置した状態を上から見た図である。波型の凸部の数が対辺で違うため、五徳５の形状に合わせて適している辺を使用できる。
図７は、フライパン６の底部に油切り調理用具１を五徳５に装置した状態を側面から見た図である。
フライパン６はＡまたはＣの点で支えられているので、傾斜がついていても安定している。
Ａの位置は図８でも示してある。油切り調理用具１はＢまたはＤの点で支えられているので、安定している。
【図面の簡単な説明】
【０００９】
【図１】油切り調理用具１の正面図である。
【図２】油切り調理用具１の上から見た図である。
【図３】油切り調理用具１の下から見た図である。
【図４】油切り調理用具１の斜視図である。
【図５】油切り調理用具１の側面図である。
【図６】油切り調理用具１を五徳５に装置した状態を上から見た図である。
【図７】油切り調理用具１を五徳５に装置し、フライパンを傾斜して置いた状態を側面から見た図である。
【図８】油切り調理用具１が鍋に接する点Ａと調理器具の天板７と接する点Ｂを示した図である。
【符号の説明】１  油切り調理用具
２  波型の凸部を有する面
３  柄
４  持ち手
５  五徳
６  フライパン
７  調理器具の天板
Ａ  油切り調理用具１がフライパン６と接する点
Ｂ  油切り調理用具１が調理器具の天板７と接する点
Ｃ  フライパン６が調理器具の天板７と接する点
Ｄ  油切り調理用具１が五徳５と接する点
【図１】
2012223533.tif 000003
【図２】
2012223533.tif 000004
【図３】
2012223533.tif 000005
【図４】
2012223533.tif 000006
【図５】
2012223533.tif 000007
【図６】
2012223533.tif 000008
【図７】
2012223533.tif 000009
【図８】
2012223533.tif 000010
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
線形材料で形成した波型の凸部の数が、少なくとも１組の対辺で異なる四角形の面に垂直に伸びる柄を有することを特徴とする油切り調理用具。
【手続補正書】
【提出日】平成24年2月8日(2012.2.8)
【手続補正１】
【補正対象書類名】特許請求の範囲
【補正対象項目名】請求項１
【補正方法】変更
【補正の内容】
【請求項１】
線形材料で形成した波型の凸部の数が少なくとも１組の対辺で異なる四角形の面に垂直に伸びる柄を有することを特徴とし、波型の凸部と二本の柄の三点の接点で傾斜した鍋を安定して支える油切り調理用具。
(57)【要約】【課題】  冬場などお風呂やシャワーのときに、洗い場の床が冷たく足元が寒く感じることがある。  スノコやバスマットを敷き、足元にお湯を掛けても流れてしまい、保温しなかった。  本発明は、浴室の洗い場での足元を保温する、プール型バスマットを提供する。【解決手段】  本体バスマットの外周部分に立ち上がりの壁を設け、本体の四つ角部分をＲ状のカット部を設け、排水用の穴と、穴の蓋と排水用の溝を設け、材質は、断熱性、保温性、防水性、柔軟性、のある素材を用いることを特微とするプール型バスマット。【選択図】図１
2012223531.tif 000002
【特許請求の範囲】
【請求項１】
本体バスマットの外周部分に立ち上がりの壁を設け、排水用の穴と、穴の蓋と排水用の溝を設け、材質は、断熱性、保温性、防水性、柔軟性、のある素材を用いることを特微とするプール型バスマット。
【発明の詳細な説明】
【技術分野】
【０００１】  本発明は、冬場など気温の低いときなどに、お風呂に入ると浴室の床が冷えていて、足元が寒く感じる。
足元にお湯を掛けても流れてしまい温かく感じない。
また、高齢者や体の不自由な人が体を洗う時など、足元が冷たくならない様に工夫した。
洗い場での足元を保温する、プール型バスマットである。
【背景技術】
【０００２】  従来、お風呂や、シャワーのときに、洗い場の床が冷たく足元が冷えてしまう。
そこで、スノコやバスマットを使用して、足元が冷たくない様に断熱した。
【先行技術文献】
【０００３】
【特許文献１】  特開平０６−３１１９４０号公報
【特許文献２】  特開２００９−１１４０６号公報
【発明の概要】
【発明が解決しようとする課題】
【０００４】  冬場などお風呂や、シャワーのときに、洗い場の床が冷たく、足元が寒く感じる事がある。
スノコやバスマットを敷き断熱し、足元にお湯を掛けても流れてしまい、保温しなかった。
本発明は、以上の問題点を解決するものである。
【課題を解決するための手段】
【０００５】  バスマットの外周部分に立ち上がりの壁を設け、本体の四つ角部分をＲ状のカット部を設け、排水用の穴と、穴の蓋と排水用の溝を設け、材質は、断熱性、保温性、防水性、柔軟性、のある素材を用いることを特微とするプール型バスマット。
【発明の効果】
【０００６】  この発明の利用で、浴室の洗い場で足元が冷たいと感じる、さまざまな人が快適なお風呂の時間を過ごすと共にお湯代の節約にもなり、エコになる。
【図面の簡単な説明】
【０００７】
【図１】  本発明の斜視図である。
【図２】  本発明の断面図である。
【発明を実施するための形態】
【０００８】  以下、本発明の実施の形態を説明する。
（イ）本体バスマット（１）の外周部に立ち上がりの壁（２）設け、角部分をＲ状にカットする（３）。
（ロ）排水用の穴（４）、排水用の穴の蓋（５）、排水用の穴の蓋の留め具（６）を設ける。
（ハ）排水用の溝（７）、滑り止め具（８）を設ける。
（ニ）使用時の湯面（９）。
本発明は、以上のように構成されたプール型バスマット。
本発明を使用するときは、本体バスマットを浴室の洗い場の良い位置に置き、排水用の穴の（４）を排水用の穴の蓋（５）でふさぎ、適温のお湯を湯面（９）まで入れる。
本体バスマットの中に足を入れ普段道理に、体を洗い、またシャワーをあびる。
体を流れ落ちたお湯が、本体バスマット（１）に溜まり保温効果が持続して足元が温かい。
使用後は排水用の蓋（５）をはずし、お湯を排水する。
【符号の説明】
【０００９】１  本体バスマット、
２  本体外周部の壁
３  Ｒ状のカット部
４  排水用の穴
５  排水用の穴の蓋
６  蓋の留め具
７  排水用の溝
８  滑り止め具
９  使用中の湯面
【図１】
2012223531.tif 000003
【図２】
2012223531.tif 000004
(57)【要約】      （修正有）【課題】入浴時、体に掛湯やシャワーをしても、流れ落ちてしまい保温できなかった。タオルなどを肩にかけても、掛け湯をするとタオルがずれたり、背中が出てしまい寒く感じていた。また、高齢者や体が不自由な人が体を洗うときなど、肩や背中が少しだけでも暖かく感じるように、肩や背中を保温するための入浴用保温布を提供する。【解決手段】保温布本体にＵ字状の凹部と留め具とカット部を設け、お湯をふくませて、保温状態を持続する。【選択図】図１
2012223532.tif 000002
【特許請求の範囲】
【請求項１】
保温布本体にＵ字状の凹部と留め具と下部にカット部を設けたことを特徴とする入浴用保温布である。
【発明の詳細な説明】
【技術分野】
【０００１】  冬場気温の低い時や夏場冷房などで、体が冷えているときにお風呂やシャワーで体を温めると、気持ちがホッとリラックスする。
だけど、お風呂場に入るとひんやりとしていて、体にお湯を掛けても流れ落ちてしまい、寒く感じるときがある。
また、高齢者や体が不自由な人が体を洗うときなど、肩や背中が少しだけでも温かく感じる様になれば良い。
お風呂の時間の快適にしてもらうために工夫した入浴用保温布である。
【背景技術】
【０００２】  従来、入浴時に、肩に掛湯をしても、湯がすぐに流れ落ちてしまい保温状態が持続しなかった。
【先行技術文献】
【０００３】
【特許文献１】  特開２００６−３４５６２号公報
【発明の概要】
【発明が解決しようとする課題】
【０００４】  入浴時に、肩に掛湯をしたり、シャワーでお湯を掛けて温めるが、すぐに、お湯が流れ落ちてしまい、保温しなかった。
また、タオルなどを肩にかけて、かけ湯をするとタオルがずれたり、背中が出てしまい寒く感じていた。
以上のような課題を解決する発明である。
【課題を解決するための手段】
【０００５】  入浴用保温布本体（１）にＵ字状の凹部（３）を設け、Ｕ字状の凹部（３）のところに、とめ具（２ａ）、とめ具（２ｂ）を設けたことを特徴とする入浴用保温布。
【発明の効果】
【０００６】  この発明の利用で、さまざまな人が快適にお風呂の時間を過ごすと共にお湯代の節約にもなり、エコになる。
【図面の簡単な説明】
【０００７】
【図１】  本発明の平面図である。
【図２】  本発明の使用状態を示した前面の説明図である。
【図３】  本発明の使用状態を示した後面の説明図である。
【発明を実施するための形態】
【０００８】  入浴用保温布本体（１）にＵ字状の凹部（３）を設ける。
Ｕ字状の凹部（３）のところに、とめ具（２ａ）、とめ具（２ｂ）を設ける。
入浴用保温布本体（１）の角部にカット部（４ａ）、カット部（４ｂ）を設ける。
以上のように構成された入浴用保温布。
入浴時に、布を肩にはおり、取り外しの簡単な留め具で留める。
適温のお湯をかて、布にふくませて、保温状態が持続する。
【符号の説明】
【０００９】１    入浴用保温布本体
２ａ  とめ具
２ｂ  とめ具
３    Ｕ字状の凹部
４ａ  カット部
４ｂ  カット部
【図１】
2012223532.tif 000003
【図２】
2012223532.tif 000004
【図３】
2012223532.tif 000005
(57)【要約】【課題】    特願２００９−７２７３７を参考に無接触でペーパーを切り取り先端出しをするペーパーホルダーを製品化した時、従来のペーパーホルダーと比べ外観は大きく複雑になりデザイン的にも悪くコストもかかる事になる。【解決手段】図２のように連動板を用いてカバーの動きを歯車軸に伝える。これにより、ペーパーホルダーをコンパクトに保ちながらカバーには無接触なままペーパーを切り取ることが可能になり同時に自動的にペーパーの先端出しも行う。【選択図】図２
2012223543.tif 000002
【特許請求の範囲】
【請求項１】
一方向クラッチを用いてカバーの動きを歯車軸で受けるように連動板を取り付け、外観はコンパクトなまま無接触で使用できるペーパーホルダー。
【発明の詳細な説明】
【技術分野】
【０００１】  ペーパーホルダーを無接触化にする分野。
【背景技術】
【０００２】  一般的にペーパーホルダーには触れたくないものであり、それを実現する要望は以前からあった。【０００３】  デザインは従来通りで使用時間を短縮することが望まれている。
【発明の開示】
【発明が解決しようとする課題】
【０００４】  無接触でペーパーを切り取るペーパーホルダーは外観が大きくなってしまう。【０００５】  動作に時間がかかる。
【課題を解決するための手段】
【０００６】  一方向クラッチを用いて先端出しをすると図１のように外観が大きくなってしまうので図２のようにカバー２の動きを歯車軸４に移すための連動板６をつければ外観がコンパクトになり先端出しも出来るようになる。
【発明の効果】
【０００７】  上述したように本発明のペーパーホルダーは特願２００９−７２７３７を参考にすればペーパーホルダー全体がコンパクトに収まる。【０００８】  カバー２の上下の動きだけでペーパーの先端出しが可能になる。
【発明を実施するための最良の形態】
【０００９】  図２の如く連動板６を歯車軸４に取りつけてカバー２の動きを歯車軸４に伝えれば歯車３の位置は自由度が増す。
【図面の簡単な説明】
【００１０】
【図１】  連動板を使用しない時の側面図
【図２】  連動板を使用した時の側面図
【図３】  連動板を使用した時の正面図
【符号の説明】
【００１１】１  本体
２  カバー
３  歯車
４  歯車軸
５  ペーパー軸
６  連動板
【図１】
2012223543.tif 000003
【図２】
2012223543.tif 000004
【図３】
2012223543.tif 000005
(57)【要約】      （修正有）【課題】歯ブラシのブリッスルが行と列によって構成され、中央列が短く刈り込まれ、外側列が１０°位内側に傾斜する所謂歯列を挟んで磨く歯ブラシは、使用効果は有るものゝ製造コストが掛かり安価に提供し得ないので、同じ形体、効用で量産し得て、安価に供給し得るようにし、且つ長期間使用し得るよう使用者でも容易に修復出来るようにする。【解決手段】歯ブラシ躯体を熱可塑性合成樹脂により成型する際に、全植毛孔を植毛面に垂直に設け、中央列植毛は通常の歯ブラシの半分位に刈り、外側列に長く植毛し、外側列ブリッスルを内側に傾ける匡整キャップを被せ、９０℃位で加熱処理する。【選択図】図７
2012223541.tif 000002
【特許請求の範囲】
【請求項１】
歯ブラシのヘッド部に適合し、蝶番と留め具を有し、内面にブリッスルの匡整凸条を有する歯ブラシキャップ。
【請求項２】
硬質熱可塑性合成樹脂を射出成型法により歯ブラシの躯体を通常形体と同形に全植毛孔を植毛面に垂直に製作し、植毛は中央列に短く、外側列を長く植毛し、請求項１の匡整凸条を有するキャップを被せ、数十秒間９０℃位の湯に浸漬するか、９０℃位の空洞内に滞留させ、外側列ブリッスルを１０°位内側に傾斜させる歯ブラシの製造法。
【発明の詳細な説明】
【技術分野】
【０００１】  本発明は、日常大多数の人が使用する歯ブラシのうち、行と列からなるブリッスルを有し、中央列ブリッスルを短く刈り込み、外側列には片側先細のブリッスルを先細側を長く、反対側の切断側をやゝ短く段差をつけて植毛する、所謂歯列を挟んで磨く歯ブラシの製造法に関する。
【背景技術】
【０００２】  歯ブラシは、大別して植毛面に垂直に植え、均等な長さに刈ったものと、極少数ではあるが、中央列ブリッスルを短く刈り、外側列ブリッスルを内側に傾斜させて長く植毛し、歯列を挟んで磨けるようにしたものがある。
全ブリッスルを植毛面に垂直に植え、均等な高さに刈り込んだものは、歯ブラシ躯体の成型も、植毛も全自動機で製造し得る処から廉価に供給し得るが、歯列を挟んで磨く歯ブラシは磨掃効果は大きいが、現行の製造法では人手を多く要し、困難が伴い、廉価で供給し得ない。
【発明の開示】
【発明が解決しようとする課題】
【０００３】  傾斜させて植毛する為には、現行の植毛法では何らかの方法によって所望の角度に傾斜した植毛孔を設けなければならないが、現在一般に行われている歯ブラシ躯体の製造法は、硬質熱可塑性合成樹脂を射出成型法で形成するが、１０°位の傾斜を有する多数の植毛孔を穿つ方法は出願されていても成果は得ていない。
又、パーソナルコンピューター制御の工作機械での後加工により、穿孔することも確実性がなく、穿孔に時間が掛かり量産向きではない。【０００４】  歯ブラシの製造は、躯体成型時に全植毛孔を水平な植毛面に垂直に穿つ現行の一般的な方法が最も量産可能であり、使用法では歯列を挟んで磨く歯ブラシが便利で効果も大きい処から、両者の長所を活かして安価で効果が大きい方法を見出すことを課題とする。
【課題を解決する為の手段】
【０００５】  課題の植毛面に垂直に植毛したブリッスルを内側に傾けるには、外側ブリッスルの材質は飽和ポリエステル樹脂である処から、９０℃で根元から屈曲させ、その儘冷却すれば所望の形は永く保持し続けることが可能と予測し、その屈曲保持方法を発明の課題とする。
【０００６】  図３のように、中央列に短く、外側列に長く、いずれも水平な植毛面に対して垂直に植毛し、歯ブラシヘッド部が納まるポリプレン等のやゝ高温で成型する図４、図５、図６で示す匡整キャップを被せ、９０℃位の熱湯に１分位浸漬するか、同じ温度の熱気中に係止後大気中で冷却すれば、図７で示す歯列を挟んで磨く歯ブラシが得られる。
【発明の効果】
【０００７】  歯ブラシの販売時に、匡整キャップも付属品として添付して販売すれば、通常使用２〜３ヶ月で図８のようになる外側列ブリッスルの毛先も、新品同様に匡整できる。
【図面の簡単な説明】
【０００８】
【図１】本歯ブラシ製造法で用いる歯ブラシ躯体のうちヘッド部の平面図
【図２】ヘッド部の側面図
【図３】図１、図２で示す全植毛孔に植毛した図
【図４】匡整キャップ正面図
【図５】匡整キャップ側面図
【図６】図５の３及び図６で示す匡整用凸条の平面図
【図７】匡整後の歯ブラシヘッドの側面図
【図８】無匡整で３ヶ月使用後の歯ブラシの側面図
【符号の説明】
【００２０】１      蝶番
２      留め具
３      匡整用凸条
【図１】
2012223541.tif 000003
【図２】
2012223541.tif 000004
【図３】
2012223541.tif 000005
【図４】
2012223541.tif 000006
【図５】
2012223541.tif 000007
【図６】
2012223541.tif 000008
【図７】
2012223541.tif 000009
【図８】
2012223541.tif 000010
(57)【要約】【課題】  桶と椅子は組付けでないため、通常も使用後も離れている。お客さんが、ホテル、旅館、日帰り温泉で各自が適当に置くので散らかった感じである。お客さんが自ら整理、整頓できる桶と椅子セットを提供する。【解決手段】  桶と椅子をセットにすることにより使用後、桶を椅子の溝に組付けることにより整理、整頓ができる。見た目もきれいである。【選択図】図１
2012223547.tif 000002
【特許請求の範囲】
【請求項１】
椅子の上面に円形の溝（３）を設ける
溝（３）は、椅子（２）の正面に向かって図（２）に示す如く傾斜している
溝（３）は図（６）に示す如く完全な円形ではない
［図１］は桶と椅子のセット図面ですが桶は椅子の外部にはみ出ることを特徴とする桶と椅子セット。
【発明の詳細な説明】
【技術分野】
【０００１】本考案は風呂桶と椅子に関するものである。
【背景技術】
【０００２】風呂桶と椅子は別々に置かれていた。
【発明の概要】
【発明が解決しようとする課題】
【０００３】風呂桶と風呂用椅子は別々なものである為、組付けでない為通常は離れている。
お客さんが使用後、組付けセットでないため適当におくので散らかった感じになる。
ホテル、旅館日帰り温泉においても全て同じである。
椅子の上に桶を置いて、整理、整頓する為には一人女を配置しなければならない  人件費のムダである。
【課題を解決するための手段】
【０００４】  桶と椅子は組付けでないため、通常も使用後も離れている。
お客さんが、ホテル、旅館、日帰り温泉で各自が適当に置くので散らかった感じである。
お客さんが自ら整理、整頓できる桶と椅子セットを提供する。
桶と椅子をセットにすることにより使用後、桶を椅子の溝に組付けることにより整理、整頓ができる。
【発明の効果】
【０００５】本考案は使用時以外は桶と椅子を組み付けてセットにするものである。
その為使用時以外は組み付けて置くので自然に整理整頓が出来る。
桶と椅子をセットにする為の人員も不要になり人件費の節約にも大いに貢献する。
【図面の簡単な説明】
【０００６】
【図１】桶と椅子のセット側面図
【図２】椅子の側面図
【図３】椅子の斜視図
【図４】桶の上面図
【図５】椅子の正面図
【図６】椅子の上面図
【発明を実施するための形態】
【０００７】  椅子の上面に円形の溝（３）を設け、一部分は椅子から外部の空間に出るため図（６）に示す如く完全な円形ではない。
溝（３）は外部に向かって図（２）に示す如く傾斜している。
桶は溝にセットする為、桶の一部分は椅子の外部に出る。
外部に椅子から出た桶（４）を持つ事によりスムースにセット出来る。    片手で可能な為自然にセットにする。
見た目もきれいである。
【符号の説明】
【０００８】１  桶
２  椅子
３  溝
４  桶の持つ部分
【図１】
2012223547.tif 000003
【図２】
2012223547.tif 000004
【図３】
2012223547.tif 000005
【図４】
2012223547.tif 000006
【図５】
2012223547.tif 000007
【図６】
2012223547.tif 000008
(57)【要約】      （修正有）【課題】道具を使うスポーツ等において、適正な握力を利用者に知らしめる器具を提供する。【解決手段】ゴルフクラブ，バット，ラケット等を模した器具のグリップ部分の内側に圧力で変形したり音を出す鋼板を設けたり、シャフトに突起を装備し、ウレタン等で包み込み、過度の握力の時に手の触感で認識できる。【選択図】図１
2012223528.tif 000002
【特許請求の範囲】
【請求項１】
ゴルフクラブ，バット，テニスラケット等を模した器具のグリップ部分の内側に、過度の圧力をかけると変形して音を出す鋼板等を有し、手の触感や音で過度の握力を利用者が知ることが出来る器具。
【請求項２】
グリップ内部に突起を有し、圧力で収縮するウレタンやラバーを上層に装着し、過度の握力を利用者に手の触感で知らしめる器具。
【請求項３】
グリップ内部にバッテリーを有し、表層と３層に電極を配し、２層に柔軟性のある絶縁体を配し、過度の握力で絶縁体が変形し表層に微弱な電気が通され、手のひらで過度の握力を知ることが出来る器具。
【発明の詳細な説明】
【技術分野】
【０００１】道具を使うスポーツ等において、適正な握力を利用者に知らしめる器具の発明。
【背景技術】
【０００２】
【公開番号】
特許公開２００５−２９２０６１
【発明の開示】
【発明が解決しようとする課題】
【０００３】従来の技術はスイングが終了してから結果がわかる技術であり、スイング中のどこで力んでいるのか、解からなかった。
【課題を解決するための手段】
【０００４】力みすぎが、瞬時に手の触感で判別できれば良い。
【発明の効果】
【０００５】この発明品を繰り返し使用して練習すると、緊張して手首が固くなり、スムースな動作を妨げている個所が明らかになり有効である。
【発明を実施するための最良の形態】
【０００６】ゴルフクラブ，バット，ラケット等を模した器具のグリップ部分の内側に圧力で変形したり音を出す鋼板を設けたり、シャフトに突起を装備し、ウレタン等で包み込み、過度の握力の時に手の触感で認識でする。
【産業上の利用可能性】
【０００７】
【図面の簡単な説明】
【０００８】
【図１】請求項１の鋼板を装着した器具の姿図
【図２】請求項２の突起を装着した器具の姿図
【図３】請求項３の微弱な感電により、過度の握力を知らしめる器具の姿図
【符号の説明】
【０００９】１  表層  （１層）
２  鋼板
３  突起
４  突起が通る穴
５  バッテリー
６  ２層
【図１】
2012223528.tif 000003
【図２】
2012223528.tif 000004
【図３】
2012223528.tif 000005
(57)【要約】【課題】  チリトリと袋を直結することは集めたゴミを散らかすことなく簡単にゴミを袋に収めることができるので  チリトリと袋の着脱が簡単でしかも強固に結合を維持できる作業性の良い袋着脱型チリトリを提供する。【解決手段】  チリトリ本体１の一端に排出口４を形成し、前記排出口４の外面には外側ネジ山５を形成し、この排出口４に勘合する袋着脱リング２には内側ネジ山６を切っておく。袋３の止め方は袋３を袋着脱リング２の中を通し袋の口７を排出口４にかぶせて  袋着脱リング２を回して締め付けて固定することにより確実に結合する。袋３の取り外しは袋着脱リング２を緩める方向に回せば取り外せる。本チリトリは袋３の着脱は袋着脱リング２を介して行う為  着脱は自在にでき、しかも強固な結合を維持できる。【選択図】図２
2012223529.tif 000002
【特許請求の範囲】
【請求項１】
チリトリ本体の一端に形成された排出口の、外面にネジ山を形成し袋着脱リングを介してゴミ収納袋を着脱自在に保持することを特徴とする袋着脱型チリトリ。
【発明の詳細な説明】
【技術分野】
【０００１】本発明は、袋を取り付けるチリトリに関するものである。
【背景技術】
【０００２】チリトリはゴミを集めるのに使用されるが  集めたゴミはゴミ箱に移され  さらにゴミ箱からゴミ袋に移し変えられる工程を得ることになる。これらの工程を得ることにより途中でゴミが周りにこぼれたりする。この移し変える工程を省くために  チリトリに袋を取り付けると集めたゴミを移し変える手間が省け、またその途中でゴミがこぼれたりすることがなくなる。このようにチリトリから直接ゴミを袋に入れられれば合理的であるがあまり普及していない。従来のチリトリとゴミ袋の結びつけはチリトリの底面に穴をあけるかまたは後面全体を開放し  チリトリを覆うようにゴミ袋をかぶせる方法や  筒状の排出口を形成して袋をゴムバンドとか特殊用具等で止めていたものが考案されていますが普及はしていない。これらは袋の固定が不安定で構造が複雑になり作業性も悪く実用的ではない為普及していないのである。
【先行技術文献】
【特許文献】
【０００３】
【特許文献１】  特開２００７−２７４９１６
【特許文献２】  特開２００６−０６８０７８
【特許文献３】  特開２００５−２８８１３３
【特許文献４】  特開２００４−１６７１８０
【特許文献５】  特開２０００−２０１８７８
【特許文献６】  特開平１０−２７６９５９
【特許文献７】  登録実用新案３１０７５０７
【特許文献８】  登録実用新案３１４２２２２
【特許文献９】  登録実用新案３０６０７７５
【発明の概要】
【発明が解決しようとする課題】
【０００４】従来のチリトリと袋を着脱する方法は  着脱に時間がかかり結合状態が不安定なので使用中に袋の一部が外れたりして作業性がわるく  ゴミの逆流もおきやすい。本発明はこれらの問題点を解決するためになされたものである。
【課題を解決するための手段】
【０００５】チリトリ本体１に排出口４を形成し、その排出口４の形状を筒状にして外側ネジ山５を形成する。この排出口４に勘合する内側ネジ山６を形成した袋着脱リング２を用意する。袋３を取り付ける場合は  袋３を袋着脱リング２の中をくぐらせておき袋の口７をこの排出口４にかぶせて  その上から袋着脱リング２をかぶせて回して締めて行き固定する。袋３を取り外す場合は袋着脱リング２を緩める方向に回すと袋３は取り外すことができる。
【発明の効果】
【０００６】本発明によれば、袋３とチリトリ本体１の結合は袋着脱リング２を介して行うため、極めて容易であり、安定的に結合状態が維持できる。チリトリ本体１に集まったゴミはチリトリ本体１を傾ける（排出口４が下になるようにする）ことにより  ゴミは周りに散らかることなく袋３の中へ流れ落ちていく。排出口４は狭まった筒状なのでゴミの逆流はおこらない。袋３の取り外しは袋着脱リング２を緩める方向に回せば取り外せる。ゴミ収納袋の着脱が簡単で強固に結合できるのでチリトリの作業性は極めて向上するのである。
【図面の簡単な説明】
【０００７】
【図１】  本発明のチリトリと袋が袋着脱リングによって結合された状態を示す一部切り欠きの正面図である。
【図２】  結合する前のチリトリと袋と袋着脱リングの組み合わせの正面図である。
【図３】  チリトリと袋が結合された状態の斜視図である。
【図４】  チリトリ本体の側面方向の断面図である。
【図５】  袋着脱リングの平面図である。
【発明を実施するための形態】
【０００８】以下本発明の実施の形態について説明する。
（イ）、チリトリ本体１の一端に筒状の排出口４を形成し、この筒状の排出口４の外面には外側ネジ山５を形成する。
（ロ）、袋着脱リング２には排出口４に勘合するように、内面には内側ネジ山６を形成する。
（ハ）、この排出口４の外側ネジ山５と袋着脱リング２の内側ネジ山６の関係は  袋３を挟みこんで締め付けられる隙間とネジ山形状にする。
（ニ）、袋の取り付けは袋３を袋着脱リング２の中をくぐらせて袋の口７を排出口４にかぶせてその上から袋着脱リング２を回して締め付けて固定する。
（ホ）、袋３の取り外しは袋着脱リング２を緩める方向に回してとりはずしをする。
【符号の説明】
【０００９】１  チリトリ本体
２  袋着脱リング
３  袋
４  排出口
５  外側ネジ山
６  内側ネジ山
７  袋の口
【図１】
2012223529.tif 000003
【図２】
2012223529.tif 000004
【図３】
2012223529.tif 000005
【図４】
2012223529.tif 000006
【図５】
2012223529.tif 000007
(57)【要約】【課題】軽量化が図れる便座を提供する。【解決手段】便座４は、合成樹脂よりなる便座外郭体１と、便座外郭体１の内部の中空部２とを備える。中空部２内には大気圧よりも高い圧力の高圧ガスが封入される。【選択図】図１
2012223351.tif 000002
【特許請求の範囲】
【請求項１】
合成樹脂よりなる便座外郭体と、便座外郭体の内部の中空部とを備え、中空部内に大気圧よりも高い圧力の高圧ガスが封入されていることを特徴とする便座。
【請求項２】
中空部内にヒータを設け、封入される高圧ガスが不活性ガスであることを特徴とする請求項１記載の便座。
【発明の詳細な説明】
【技術分野】
【０００１】
本発明は、便座に関するものである。
【背景技術】
【０００２】
便座の外郭を構成する便座外郭体は、特許文献１に示されるように、人体の着座面を有する断面逆Ｕ字状をした合成樹脂製の外郭本体部の下開口部に、便器に対面する合成樹脂製の基台部を溶着した構造となっている。
【０００３】
便座外郭体の内部は中空部となっており、この中空部内に位置するように外郭本体部の内面にヒータを取付け、着座面を加熱するようになっている。
【先行技術文献】
【特許文献】
【０００４】
【特許文献１】特開２００５−３４２０３６号公報
【発明の概要】
【発明が解決しようとする課題】
【０００５】
上記のような内部が中空部となった合成樹脂製の便座外郭体は、肉厚を厚く（例えば２．５ｍｍ以上）形成すると共に、中空部にリブを立て込んで着座面にかかる人体の荷重を支持している。
【０００６】
このように便座外郭体の肉厚が厚く、中空部にリブを立て込むため、便座の重量が重くなり、便座の開閉軸や、便座を回動するためのモータに大きな負担がかかるという問題があった。
【０００７】
本発明は上記の従来例の問題点に鑑みて発明したものであって、その目的とするところは、軽量化が図れる便座を提供するにある。
【課題を解決するための手段】
【０００８】
本発明の便座は、合成樹脂よりなる便座外郭体と、便座外郭体の内部の中空部とを備え、中空部内に大気圧よりも高い圧力の高圧ガスが封入されていることを特徴とする。
【０００９】
また、中空部内にヒータを設け、封入される高圧ガスが不活性ガスであることが好ましい。
【発明の効果】
【００１０】
本発明は、内部の中空部に封入された大気圧よりも高い圧力の高圧ガスで便座外郭体の着座面にかかる人体の荷重の支持を負担でき、この結果、便座外郭体の肉厚を薄くして便座の軽量化が図ることが可能となる。
【図面の簡単な説明】
【００１１】
【図１】本発明の便座を示し、図２のＸ−Ｘ線の断面図である。
【図２】同上の斜視図である。
【図３】図２のＸ−Ｘ線の他の実施形態の断面図である。
【発明を実施するための形態】
【００１２】
以下、本発明を添付図面に示す実施形態に基づいて説明する。
【００１３】
便座４の外郭を構成する便座外郭体１は、図１に示されるように、断面逆Ｕ字状をした合成樹脂製の外郭本体部５の下開口部に、便器に対面する合成樹脂製の基台部６を超音波溶着や振動溶着等で溶着することで形成してある。
【００１４】
断面逆Ｕ字状の外郭本体部５の上面部は人体の臀部を支持するための着座面７となっている。
【００１５】
この便座外郭体１は内部に中空部２を有している。この便座外郭体１の内部の中空部２に大気圧よりも高い圧力の圧縮空気などの高圧ガスが封入されて便座４が構成される。
【００１６】
従来の便座においては、便座外郭体１の着座面７にかかる人体の荷重は、便座外郭体１単独で支えられる。
【００１７】
これに対し、本実施形態では、便座外郭体１の着座面７にかかる人体の荷重が、便座外郭体１と、便座外郭体１の内部の中空部２に封入した高圧ガスの圧力とで支えられる。
【００１８】
したがって、本実施形態の便座外郭体１を構成する外郭本体部５、基台部６は、いずれも従来の便座外郭体１を構成する外郭本体部５、基台部６よりも肉厚が薄く形成しても着座面７にかかる人体の荷重を支えることが可能となる。
【００１９】
また、外郭本体部５、基台部６にリブを立て込まなくても、着座面７にかかる人体の荷重を支えることが可能となる。
【００２０】
なお、便座外郭体１の中空部２内に封入した大気圧よりも高い高圧ガスの圧力は、便座外郭体１の肉厚との関係で決定されるので、特に限定はない。つまり、封入される高圧ガスの圧力と、便座外郭体１の肉厚との関係は、便座外郭体１の着座面７にかかる人体の荷重は、便座外郭体１単独で支えられるという条件を満たす範囲で任意に設定できる。
【００２１】
例えば、便座外郭体１の肉厚を０．２〜２．０ｍｍで設定し、封入されるガス圧の圧力を大気圧よりも高圧で且つ５ＭＰａ以下の範囲で設定する。ここで、封入されるガス圧５ＭＰａ以下とするのは、不活性ガスは５ＭＰａ以下は高圧ガス保安法における高圧ガスとしての規制の対象にならないので、ガス圧５ＭＰａ以下とする。
【００２２】
このように、本実施形態は、便座外郭体１を構成する外郭本体部５、基台部６の肉厚を薄くし、リブを設けなくても着座面７にかかる人体の荷重を支えることが可能となるので、便座４全体の重量を従来の便座よりも軽量化することができる。
【００２３】
便座４の重量が軽くなると、取扱いがし易く、便座４の回転軸にかかる負担を軽減することができる。
【００２４】
また、便座４をモータで回転するタイプのものにおいては、モータにかかる負担を軽減することができる。
【００２５】
次に、本発明の他の実施形態を図３に基づいて説明する。
【００２６】
本実施形態の便座４は、便座外郭体１内の中空部２にヒータ３が設けてある。具体的にはヒータ３は、着座面７に対応する外郭本体部５の内面部に取着されていて、ヒータ３に通電して加熱することで、着座面７を加温するようになっている。
【００２７】
ここで、前述のように便座外郭体１の肉厚が薄くできるので、着座面７をヒータ３で加温するに当り、ヒータ３の加熱能力が従来よりも低くても、着座面７を従来と同等に加温することが可能となる。
【００２８】
そして、本実施形態では、ヒータ３を設けた中空部２内に、大気圧よりも高い圧力の高圧ガスとして、窒素、ヘリウム、ネオン、アルゴンなどの不活性ガスが封入される。このように中空部２内に封入する高圧ガスとして不活性ガスを用いることで、不活性ガスによりヒータ３の酸化防止を図ることができる。
【００２９】
なお前述の各実施形態は、内部に中空部２を有する便座外郭体１を外郭本体部５と基台部６を溶着することで形成した例を示したが、内部に中空部２を有する便座外郭体１を合成樹脂で一体に成形してもよい。
【００３０】
すなわち、本実施形態はガスアシスト成形などによって内部に大気圧よりも高圧のガスを充填させた後、ノズル部を樹脂で塞ぐことにより一工程で内部が中空部２となった外郭本体部５を形成することができる。
【符号の説明】
【００３１】
１  便座外郭体
２  中空部
３  ヒータ
４  便座
【図１】
2012223351.tif 000003
【図２】
2012223351.tif 000004
【図３】
2012223351.tif 000005
(57)【要約】      （修正有）【課題】円の面積の正しい計測を行う。【解決手段】円の面積の計算において、（π）を３．１７１５とする。【選択図】なし【特許請求の範囲】
【請求項１】
直径を１辺とする半円に内接する直角３角形。
上記直角３角形の３辺の比は２０：１７．８０８９：９．１０１７とする、直角３角形である。
【発明の詳細な説明】
【発明が解決しようとする課題】
円の面積の計算では（π）を３．１７１５‥‥としなければならない。
今日の計算では３．１４１５（π）となっている
【発明の効果】
教育の現場において正しい理解が可能となる
円の面積の正しい計測が行なわれるようになる。
2012223086.tif 000002
【手続補正書】
【提出日】平成23年7月8日(2011.7.8)
【手続補正２】
【補正対象書類名】明細書
【補正対象項目名】全文
【補正方法】変更
【補正の内容】
【発明の詳細な説明】
【発明が解決しようとする課題】
円の面積の計算では（π）を３．１７１５‥‥としなければならない。今日の計算では３．１４１５（π）となっている
【発明の効果】
教育の現場において正しい理解が可能となる円の面積の正しい計測が行なわれるようになる。
【図面の簡単な説明】
【図１】直角３角形（半円に内接する）図（２枚）
2012223086.tif 000003
2012223086.tif 000004